(57)【特許請求の範囲】
【請求項１】
基地局と無線による送信および受信を行う通信部と、
前記通信部を介して外部との通話を行う通話手段と、
通信プログラムを起動して、少なくとも前記通信部を制御する中央処理部と、
楽曲データを含む各種データを記憶する記憶部と
を備えた携帯電話機において、
前記楽曲データを入力して楽曲信号を出力する楽曲再生手段と、
マイクロフォンから入力した音声信号と前記楽曲再生手段から出力される楽曲信号とを合成する合成手段と、
該合成手段により生成された信号を発音する発音手段と、を具備し、
前記楽曲再生手段が、前記楽曲データを再生するときに、前記中央演算処理部の指示により前記記憶部から所定量の前記楽曲データを順次記憶する一時記憶手段と、
該一時記憶手段に格納されている前記楽曲データを読み出して再生する再生手段と、
前記一時記憶手段の空き容量が所定値に達したときに、次の所定量の楽曲データを前記記憶部から前記一時記憶手段に供給することを要求する信号を前記中央処理部に送出する書込／読出制御手段と、
を具備することを特徴とする携帯電話機。
【請求項２】
前記マイクロフォンから入力した音声信号に基づいて歌唱力を採点する採点手段と、
前記採点手段の採点結果を表示する表示手段と、
を具備することを特徴とする請求項１に記載の携帯電話機。
【請求項３】
基地局と無線による送信および受信を行う通信部と、
前記通信部を介して外部との通話を行う通話手段と、
通信プログラムを起動して、少なくとも前記通信部を制御する中央処理部と、
楽曲データを含む各種データを記憶する記憶部と
を備えた携帯電話機において、
前記楽曲データを入力して楽曲信号を出力する楽曲再生手段と、
前記楽曲再生手段により生成された楽音信号を発音する発音手段と、
マイクロフォンから入力した音声信号に基づいて歌唱力を採点する採点手段と、
前記採点手段の採点結果を表示する表示手段とを具備し、
前記楽曲再生手段が、前記楽曲データを再生するときに、前記中央演算処理部の指示により前記記憶部から所定量の前記楽曲データを順次記憶する一時記憶手段と、
該一時記憶手段に格納されている前記楽曲データを読み出して再生する再生手段と、
前記一時記憶手段の空き容量が所定値に達したときに、次の所定量の楽曲データを前記記憶部から前記一時記憶手段に供給することを要求する信号を前記中央処理部に送出する書込／読出制御手段と、
を具備することを特徴とする携帯電話機。
【請求項４】
前記採点手段における採点結果を前記通信部を介して所定機関へ送信する送信手段を具備してなる請求項２または請求項３に記載の携帯電話機。
【請求項５】
前記採点手段は、前記マイクロフォンから入力した音声信号から抽出した音程と音量を、前記楽曲再生手段の出力から抽出したパラメータと比較することによって採点することを特徴とする請求項２から請求項４のいずれかに記載の携帯電話機。
【請求項６】
前記採点手段は、前記マイクロフォンから入力した音声信号から抽出した音程と音量を、外部から供給された採点基準パラメータと比較することによって採点することを特徴とする請求項２から請求項４のいずれかに記載の携帯電話機。
【請求項７】
前記合成手段の出力信号をＦＭ変調して送信するＦＭ送信手段を具備することを特徴とする請求項１に記載の携帯電話機。
【請求項８】
請求項４に記載の携帯電話機と、前記携帯電話機から送信された採点結果を受信して内部の記憶手段に記憶し、前記携帯電話機からの要求に応じて前記記憶手段内のデータまたは該データを加工したデータを前記携帯電話機へ送信するデータ配信センタと、前記データ配信センタと前記携帯電話機を接続し、情報の伝送を行なう通信ネットワークと、からなることを特徴とする携帯電話システム。
【請求項９】
前記データ配信センタは、複数の楽曲データを有し、前記携帯電話機からの要求に応じて前記楽曲データを前記携帯電話機へ送信することを特徴とする請求項８に記載の携帯電話システム。
【発明の詳細な説明】
【０００１】
【発明の属する技術分野】
この発明は、カラオケ機能を備えた携帯電話機およびそれを用いた携帯電話システムに関する。
【０００２】
【従来の技術】
従来、カラオケ装置は飲食店や家庭等において広く用いられている。また、このカラオケ装置をより楽しくするため、歌唱力の採点機能を付加したカラオケ装置も開発されている。しかしながら、従来のこの種の採点装置付きカラオケ装置はその採点結果を単に表示するのみであり、面白みがないと共に歌唱力の向上にもあまりつながらない欠点があった。
他方、近年、携帯電話機が広く用いられてきており、この携帯電話機にはマイクとスピーカが付いていることから、この携帯電話機にカラオケ機能を付加したものも開発されている。しかしながら、従来のこの種の携帯電話機は単にカラオケ機能が付加されているというだけで、採点機能まで付加されたものは開発されていない。
【０００３】
【発明が解決しようとする課題】
この発明は、上記の点に鑑みてなされたもので、その目的は、カラオケ機能を有し、さらに、採点機能を有する携帯電話機を提供することにある。また、この発明の他の目的は、採点結果を管理センタへ送信して集計し、集計結果を携帯電話機によって見ることができる携帯電話システムを提供することにある。
【０００４】
【課題を解決するための手段】
上記の問題を解決するために、請求項１に記載の発明は、基地局と無線による送信および受信を行う通信部と、前記通信部を介して外部との通話を行う通話手段と、通信プログラムを起動して、少なくとも前記通信部を制御する中央処理部と、楽曲データを含む各種データを記憶する記憶部とを備えた携帯電話機において、前記楽曲データを入力して楽曲信号を出力する楽曲再生手段と、マイクロフォンから入力した音声信号と前記楽曲再生手段から出力される楽曲信号とを合成する合成手段と、該合成手段により生成された信号を発音する発音手段と、を具備し、前記楽曲再生手段が、前記楽曲データを再生するときに、前記中央演算処理部の指示により前記記憶部から所定量の前記楽曲データを順次記憶する一時記憶手段と、該一時記憶手段に格納されている前記楽曲データを読み出して再生する再生手段と、前記一時記憶手段の空き容量が所定値に達したときに、次の所定量の楽曲データを前記記憶部から前記一時記憶手段に供給することを要求する信号を前記中央処理部に送出する書込／読出制御手段とを具備することを特徴とする。
また、請求項２に記載の発明は、請求項１に記載の携帯電話機において、前記マイクロフォンから入力した音声信号に基づいて歌唱力を採点する採点手段と、前記採点手段の採点結果を表示する表示手段とを設けたことを特徴とする。
また、請求項３に記載の発明は、基地局と無線による送信および受信を行う通信部と、前記通信部を介して外部との通話を行う通話手段と、通信プログラムを起動して、少なくとも前記通信部を制御する中央処理部と、楽曲データを含む各種データを記憶する記憶部とを備えた携帯電話機において、前記楽曲データを入力して楽曲信号を出力する楽曲再生手段と、前記楽曲再生手段により生成された楽音信号を発音する発音手段と、マイクロフォンから入力した音声信号に基づいて歌唱力を採点する採点手段と、前記採点手段の採点結果を表示する表示手段とを具備し、前記楽曲再生手段が、前記楽曲データを再生するときに、前記中央演算処理部の指示により前記記憶部から所定量の前記楽曲データを順次記憶する一時記憶手段と、該一時記憶手段に格納されている前記楽曲データを読み出して再生する再生手段と、前記一時記憶手段の空き容量が所定値に達したときに、次の所定量の楽曲データを前記記憶部から前記一時記憶手段に供給することを要求する信号を前記中央処理部に送出する書込／読出制御手段とを具備することを特徴とする。
【０００５】
また、請求項４に記載の発明は、請求項２または請求項３に記載の携帯電話機において、前記採点手段における採点結果を前記通信部を介して所定機関へ送信する送信手段を設けたことを特徴とする。
また、請求項５に記載の発明は、請求項２から請求項４のいずれかに記載の携帯電話機において、前記採点手段は、前記マイクロフォンから入力した音声信号から抽出した音程と音量を、前記楽曲再生手段の出力から抽出したパラメータと比較することによって採点することを特徴とする。
【０００６】
また、請求項６に記載の発明は、請求項２から請求項４のいずれかに記載の携帯電話機において、前記採点手段は、前記マイクロフォンから入力した音声信号から抽出した音程と音量を、外部から供給された採点基準パラメータと比較することによって採点することを特徴とする。
また、請求項７に記載の発明は、請求項１に記載の携帯電話機において、前記合成手段の出力信号をＦＭ変調して送信するＦＭ送信手段を具備することを特徴とする。
【０００７】
また、請求項８に記載の発明は、請求項４に記載の携帯電話機と、前記携帯電話機から送信された採点結果を受信して内部の記憶手段に記憶し、前記携帯電話機からの要求に応じて前記記憶手段内のデータまたは該データを加工したデータを前記携帯電話機へ送信するデータ配信センタと、前記データ配信センタと前記携帯電話機を接続し、情報の伝送を行なう通信ネットワークとからなることを特徴とする携帯電話システムである。
また、請求項９に記載の発明は、請求項８に記載の携帯電話システムにおいて、前記データ配信センタは、複数の楽曲データを有し、前記携帯電話機からの要求に応じて前記楽曲データを前記携帯電話機へ送信することを特徴とする。
【０００８】
【発明の実施の形態】
以下、図面を参照してこの発明の一実施の形態について説明する。図１は、この発明の実施形態による携帯電話システム１００の構成を示すブロック図である。同図において、携帯電話システム１００は、楽曲データ配信／採点データ管理センタ（以下、センタという）１１０と、通信ネットワーク１２０と、携帯電話機１とから構成される。センタ１１０は、カラオケ用の楽曲データの配信を行うと共に、携帯電話機１から入力したユーザの採点データを格納し、格納した採点データの集計、週間順位の決定などデータの加工を行ない、採点データおよび加工後のデータを携帯電話機１へ送信する。
【０００９】
通信ネットワーク１２０の構成は公衆通信回線とセルラーシステムの例を示している。携帯電話機１と携帯電話機１が属している無線ゾーンを管理する基地局１２４ｃは無線回線により接続されている。携帯電話機１から通話を行う際や、位置登録を行なう際の信号は、基地局１２４ｃで受信されて処理される。基地局１２４ａ〜１２４ｄはそれぞ異なる無線ゾーンを管理している。基地局１２４ａ〜１２４ｄは多重化回線を介して移動交換局１２３に接続され、さらに、複数の移動交換局は関門交換局１２２で集線されて電話交換局１２１ｂへ接続される。各地域毎に設置されている電話交換局１２１ａ〜１２１ｃは中継伝送路で相互に接続されて通信網を構成している。上述したセンタ１１０は、加入者線を介して電話交換局１２１ａに接続されている。
【００１０】
図２は、携帯電話機１の構成を示すブロック図である。同図を参照して携帯電話機１を詳細に説明する。この図において、携帯電話機１は、一般にリトラクタブルなアンテナ１ａを備え、基地局１２４ｃと無線送信／受信を行う通信部１３と、マイク２１から入力した音声を符号化し、あるいは入力したデジタル信号を復号化する音声処理部１４と、楽曲データを再生すると共に着信音を形成する楽曲再生部１５と、歌唱者の歌唱力を採点し、得点を出力する採点用パラメータ抽出部２５と、データ記憶用のＲＡＭ（ランダム・アクセス・メモリ）１１と、通信プログラムなどを格納するＲＯＭ（リード・オンリ・メモリ）１２と、パソコン等の外部機器２０からデータを入力するインタフェース（Ｉ／Ｆ）１６と、電話番号や機能選択を入力する入力部１７と、液晶表示パネルを有する表示部１８と、着信を振動で知らせるバイブレータ１９と、供給される信号をＦＭ変調してアンテナ２７から送信する微弱パワーのＦＭトランスミッタ２６と、通信プログラムの起動と各部の動作を制御するＣＰＵ（中央処理装置）１０とから構成される。各部はバス２４によりＣＰＵ・１０へ接続されている。
【００１１】
上記の構成をさらに説明すると、通信部１３は、音声処理部１４から入力したデジタル信号により変調した無線信号をアンテナ１ａを介して基地局１２４ｃへ送信する。また、アンテナ１ａを介して、受信した無線信号を復調してデジタル信号を出力する。変復調方式には、無線周波数の利用率を良くするため、ＱＰＳＫ（４相位相変調）などが用いられる。また、ＴＤＤ（時分割双方向通信）方式が用いられている場合は、送受信に同一周波数を用いて、送信と受信は時分割で行われる。
【００１２】
また、ＲＡＭ・１１にはユーザ設定データ格納エリア、ＣＰＵ・１０のワークエリア、センタ１１０からダウンロードした楽曲データの格納エリアなどが設定される。また、ＲＯＭ・１２は、ＣＰＵ・１０が実行する発信／着信処理の通信プログラムや楽曲再生処理を補助する処理などのプログラムを格納する。入力部１７は、数値キーおよびコードキーからなるテンキーやジョグダイヤルなどから構成される入力手段である。通常の通話のための操作のほかに楽曲データの配信要求、採点データ送信、カラオケモードＯＮ／ＯＦＦ、楽曲番号選択、楽曲再生スタート／ストップなどの操作入力ができる。表示部１８は、電話機能のメニュー、テンキーやジョグダイヤルなどのボタン操作に応じた表示、楽曲の歌詞、グラフィックス、採点結果などを表示する。
【００１３】
次に、楽曲再生部１５および音声処理部１４の詳細な構成例を図３に示す。
先ず、楽曲再生部１５の説明を行なう。同図において、インタフェース（Ｉ／Ｆ）３０はバス２４を介して各種データを授受するインタフェースである。楽曲再生の前に行なわれる楽曲データの初期設定の際には、Ｉ／Ｆ・３０を介して入力した楽曲データの音色データを除く楽曲データが書込／読出コントローラ（Ｒ／Ｗコントローラ）３１の制御の基で楽曲データ記憶部（ＲＡＭ）３２の空きエリアに記憶される。ＲＡＭ・３２の記憶容量は一曲分の楽曲データを記憶するに必要な記憶容量より小さくされており、例えば３２ワード分の楽曲データを格納できる記憶容量とされている。 従って、楽曲データの先頭の３２ワード分が記憶される。
【００１４】
また、楽曲データ中の音色データはＶｏｉｃｅ  ＲＡＭ（音色データ記憶部）３６に供給されて記憶される。Ｖｏｉｃｅ  ＲＡＭ・３６は、複数の音色分の音色データを記憶できる記憶容量を有している。この音色データは、波形パラメータ、エンベロープパラメータ、変調パラメータ、エフェクトパラメータ、その他のパラメータからなり、それぞれのパラメータは各音色に特有のパラメータとされている。各音色データにおける波形パラメータは、音色に対応する楽音波形を指示しており、例えば音源部３４が波形テーブルを有するＰＣＭ音源とされている場合は、波形テーブルの何れかの波形を指示するパラメータとされ、音源部３４がＦＭ音源とされている場合は、ＦＭ演算のアルゴリズムを指示するパラメータとされる。上記エンベロープパラメータは、アタックレート、ディケイレート、サスティンレベル、リリースレートなどのパラメータであり、上記変調パラメータはビブラートやトレモロの深さや早さのパラメータであり、また、上記エフェクトパラメータはリバーブ、コーラス、バリエーションなどのパラメータである。
【００１５】
また、シーケンサ３３からの読出要求信号（Ｒｅｑ）に応じて、Ｒ／Ｗコントローラ３１がＲＡＭ・３２から読み出したテンポデータをシーケンサ３３が取り込んでテンポを設定する。さらに、シーケンサ３３が楽曲データを解釈してパート毎に指定された音色ナンバをＶｏｉｃｅ  ＲＡＭ・３６に印加し、音色ナンバに対応する音色パラメータをＶｏｉｃｅ  ＲＡＭ・３６から読み出して音源部３４に設定している。
【００１６】
楽曲再生がスタートされるとＲ／Ｗコントローラ３１は、シーケンサ３３からの読出要求信号（Ｒｅｑ）に応じて、ＲＡＭ・３２から順次楽曲データを読み出してシーケンサ３３に供給する。シーケンサ３３は、Ｒ／Ｗコントローラ３１から順次楽曲データを受け取り、楽曲データを解釈してその発音タイミングで発音されるように楽曲データに対応する音源パラメータを音源部３４に設定している。音源パラメータとしては、ピッチデータ、ノートオン／オフ信号などがある。
【００１７】
音源部３４は、左右チャンネルの複数パートの楽音信号を同時に発音することができ、各パートの楽音信号の音色はＶｏｉｃｅ  ＲＡＭ・３６から読み出された音色に設定されており、この音色に従うとともに、シーケンサ３３から供給された音源パラメータに基づいた楽音データを各パート毎に生成している。生成された複数のパート分の楽音データは、デジタル／アナログ変換器（ＤＡＣ）３５に供給されて、アナログ楽音信号に変換される。
【００１８】
そして、ＲＡＭ・３２からの楽曲データの読み出しが進んでＲＡＭ・３２に所定量の空きエリアが発生した際には、Ｒ／Ｗコントローラ３１は転送要求信号（Ｒｅｑ）をインタフェース３０を介してバス２４に送出する。ＣＰＵ・１０は、この転送要求信号を受け取ると、続く楽曲データを所定データ分、例えば空きエリアに対応する１６ワード分の楽曲データをＲＡＭ・１１から読み出してバス２４に送出する。この楽曲データは、Ｉ／Ｆ・３０を介してＲ／Ｗコントローラ３１の制御の基で、ＲＡＭ・３２の空きエリアに書き込まれる。このような動作が繰り返されることにより、ＲＡＭ・３２の記憶容量が一曲分の楽曲データを記憶するに必要な記憶容量より小さくても楽曲全体を再生することができる。
【００１９】
この再生された楽曲が放音される場合は、係数乗算器４０の係数が「１」とされ、マイク２１から入力した音声信号とミキサ５１においてミキシングされてスピーカ２３から放音される。また、ＤＡＣ・３５の出力が着信音の場合は、係数乗算器５４の係数が「０」とされ、着信音のみスピーカ２３から放音される。再生された楽音信号が保留音の場合は、係数乗算器３７の係数が、「１」とされてミキサ３８を介して受話用スピーカ２２から出力される。この場合、係数乗算器５０の係数が「０」とされてＤＡＣ・４９の出力はミキサ３８に供給されない。またこの場合、音源部３４から出力される楽音信号が送信用保留音信号として音声処理部１４に供給される。
【００２０】
次に、音声処理部１４の説明を行なう。
図３に示す音声処理部１４において、通常の電話の場合、マイク２１から入力された音声信号は、アナログ／デジタル変換器（ＡＤＣ）４２においてデジタル信号に変換され係数乗算器４３を介してミキサ４４に供給される。ミキサ４４には楽曲再生部１５で再生されたＢＧＭ用の楽音信号が係数乗算器４５を介して供給される。ミキサ４４の出力は、コーダ４６により符号化されて通信部１３に供給される。
【００２１】
コーダ４６およびデコーダ４８には、音声の多重数を拡張するため、帯域圧縮技術を用いた高能率圧縮符号化／復号化、例えばＡＤＰＣＭ（適応差分ＰＣＭ）や
ＣＥＬＰＣ（Ｃｏｄｅ  Ｅｘｃｉｔｅｄ  ＬＰＣ）方式などが用いられる。通信部１３から入力した信号は、デコーダ４８により復号化され、さらに、デジタル／アナログ変換器（ＤＡＣ）４９でアナログの受話信号に変換されて楽曲再生部１５へ供給される。一方、入力部１７のカラオケモードを指定するキー操作を行った場合、係数乗算器５４の係数が「１」とされ、マイク２１から入力された歌唱者の音声信号が係数乗算器５４を介してミキサ５１へ供給され、再生された楽曲（伴奏音）とミキシングされる。
【００２２】
次に、図４を参照して採点用パラメータ抽出部２５の説明を行う。
先ず、マイク２１（図３）から出力される歌唱者の音声信号と、再生された楽音信号（ＤＡＣ・３５の出力）は前処理部６１に入力される。前処理部６１では入力された音声信号を音声帯域のフィルタを通し、高域および低域の雑音を除去し、歌唱者音声信号として出力する。また、この前処理部６１は、入力された楽音信号からお手本ボーカル音声信号を抽出する。すなわち、音声多重方式の場合、左側チャネル信号には伴奏が記録されており、右側チャネル信号には伴奏および音声が記録されている。そこで、前処理部６１は、右側チャネル信号から左側チャネル信号を減算することにより、音声信号を抽出する。次いで、抽出した音声信号を音声帯域のフィルタを通過させて高域および低域の雑音を除去し、お手本ボーカル音声信号として出力する。
【００２３】
音程抽出部６２は、まず、前処理部６１から供給された歌唱者音声信号およびお手本ボーカル音声信号の各々からピッチを抽出する。ピッチ抽出の手法としては、周知のゼロクロス間隔検出法、自己相関法またはそれらの組み合わせ法などを用いることができる。ピッチ抽出された各音声信号はそれぞれ、低域通過フィルタでビブラート成分が除去された後、音程データに変換さる。
【００２４】
即ち、抽出されたピッチの逆数である周波数ｆは、基本周波数３２．７０３２Ｈｚからのずれとして次式のように表される。
ｆ＝３２．７０３２×２(P+Q/12) ［Ｈｚ］ ・・・（１）
ここで、Ｐはオクターブデータであり、Ｑは半音階データである。
従って、音程データは、次式に基づいて算出される。
Ｐ＋（Ｑ／１２）＝ｌｏｇ2（ｆ／３２．７０３２）・・・（２）
なお、オクターブデータＰは整数で、Ｑの絶対値が最小となるように決められる。このように音程データに変換するのは、聴覚特性にマッチングした比較をすることができるからである。
そして、上述した処理によって得られた歌唱者音程データおよびお手本ボーカル音程データが各々採点部６４へ出力される。
【００２５】
また、音量抽出部６３は、入力された歌唱者音声信号とお手本ボーカル音声信号の各々の振幅値を絶対値化し、さらに、平滑化して音量データを生成し、歌唱者音量データおよびお手本ボーカル音量データとして採点部６４へ出力する。
採点部６４は、入力された歌唱者音程データとお手本ボーカル音程データとを一定周期または再生音声信号から抽出したピッチに基づく比較タイミング信号に基づいて比較する。そして、両者が概ね一致していればカウンタがカウントアップし、このカウント値から音程データの一致度を算出する。同様にして、歌唱者音量データとお手本ボーカル音量データを上述した比較タイミング信号に同期して比較し、両者が概ね一致していればカウンタがカウントアップし、このカウント値から音量データの一致度を算出する。
【００２６】
更に、再現性のある機械的な比較処理だけではなく、主観的評価に近づけるように乱数が生成される。そして、音程データの一致度、音量データの一致度および乱数は、音程重視パラメータα、音量重視パラメータβおよび乱数重視パラメータγを乗算した後、加算される。各パラメータα、β、γは、パラメータ設定部６５によってα＋β＋γ＝１を満たすように任意の割合で調整可能になっている。この加算値を得点に変換して表示部１８へ出力する。
【００２７】
なお、採点用パラメータ抽出部２５について、楽曲データからお手本ボーカル音声信号を抽出して採点する方法を説明したが、楽曲データが音声信号を含まず伴奏データのみの場合がある。この場合、楽曲データに時系列に並んだ音程データと音量データからなる採点基準用パラメータが付加され配信される。この場合、採点用パラメータ抽出部２５は歌唱者音声信号から音程データと音量データを抽出してＣＰＵ・１０へ出力する。ＣＰＵ・１０は入力したデータと前記採点基準用パラメータを比較して採点を行なう。
【００２８】
次に、上述したシステムの動作を説明する。
先ず、携帯電話機１がセンタ１１０から所望の楽曲データをダウンロードする動作について説明する。携帯電話機１の入力部１７のキーを操作してセンタ１１０の電話番号を入力し、発信ボタンをオンにする。発信ボタンをオンにすることにより、ＣＰＵ・１０は、ＲＯＭ・１２に格納されている通信プログラムを起動させ、呼を発信する。携帯電話機１の電話番号情報を付加した発信信号は、通信部１３からアンテナ１ａを介して携帯電話機１が属する無線ゾーンを管理する基地局１２４ｃへ送信される。基地局１２４ｃは、受信した信号を移動交換局１２３へ送る。移動交換局１２３はセンタ１１０の電話交換局１２１ａを決定し、その経路に向け信号を送る。電話交換局１２１ａからセンタ１１０へ着信信号が送られ、着信ボタンが操作されることにより、回線が確立する。
【００２９】
回線が確立すると携帯電話機１から登録番号、配信を希望する楽曲番号などが送られる。センタ１１０において、受信した登録番号が確認されて、楽曲データのダウンロードが開始される。センタ１１０から発信された楽曲データは、電話交換局１２１ａを経由して基地局１２４ｃから送信され、アンテナ１ａを介して通信部１３へ入力される。通信部１３は、受信した無線信号を復調した楽曲データを出力する。この楽曲データはＲＡＭ・１１に格納される。この楽曲データには、伴奏音のためのデータ（音色データ、再生するテンポを決定するテンポデータ、各パートの音色を設定する音色割当データ、一曲分の音符データや休符データ）と、お手本ボーカル音声データと、歌詞データと、背景画像表示のためのグラフィックスデータとから構成されている。ダウンロード処理が終了すると、回線が切断されて発信処理は終了する。
【００３０】
次に、ＲＡＭ・１１へ格納した楽曲データから楽曲を再生し、歌唱者がマイク２１から音声信号を入力するカラオケモードについて動作を説明する。
先ず、ユーザが入力部１７のカラオケモードを選択するキー操作を行い、次いで、入力部１７から所望の楽曲番号を入力し、演奏スタートを指示するキー操作を行うと、入力部１７から入力された楽曲番号により、ＣＰＵ・１０は、ＲＡＭ・１１に格納されている楽曲データを読み出す。ＲＡＭ・１１から読み出された楽曲データは、バス２４を介してＩ／Ｆ・３０へ入力され、楽曲データの初期設定処理が実行される。
【００３１】
初期設定処理では、Ｉ／Ｆ・３０から音色データを除いた楽曲データがＲＡＭ・３２に格納され、Ｉ／Ｆ・３０から出力された音色データがＶｏｉｃｅ  ＲＡＭ・３６に格納される。音色割当データをシーケンサ３３が解釈して、各パート毎の音色パラメータをＶｏｉｃｅ  ＲＡＭ・３６から読み出して音源部３４に設定すると共に、テンポデータがシーケンサ３３に設定される。初期設定処理が終了すると、楽曲データの再生がスタートされ、Ｒ／Ｗコントローラ３１は、シーケンサ３３からの読出要求信号（Ｒｅｑ）に応じてＲＡＭ・３２から順次楽曲データを読み出してシーケンサ３３に供給する。音源部３４は、シーケンサ３３から入力した楽曲データにより音源パラメータに基づいた複数のパートの楽音信号を生成し、お手本ボーカル楽音データとミキシングして出力する。ＤＡＣ・３５は、入力された楽音データをデジタル／アナログ変換によりアナログの楽音信号に変換する。この楽曲信号は、係数乗算器４０を介してミキサ５１へ供給される。
【００３２】
一方、歌唱者はマイク２１から音声信号を入力する。このとき係数乗算器５４の係数は「１」とされており、入力した音声信号は、ミキサ５１に供給され、再生された前記楽音信号とミキシングされる。ミキシングされた一方の出力は、係数乗算器５３によって所定のレベルに調整されてスピーカ２３から放音される。このとき、ＣＰＵ・１０は、楽曲データ中の歌詞データおよびグラフィックスデータを楽曲の再生処理と同期させて表示部１８へ送り、表示させる。また、ミキサ５１の他方の出力は、係数乗算器５２を介してＦＭトランスミッタ２６へ供給される。ＦＭトランスミッタ２６はＦＭ変調信号をアンテナ２７を介して外部のＦＭ受信機へ送信する。ＦＭトランスミッタ２６がＯＮになると、係数乗算器５３の係数は「０」になり、信号はスピーカ２３から出力されない。
【００３３】
一方、採点用パラメータ抽出部２５は、音声処理部１４を介してマイク２１から入力した歌唱者の音声信号と楽曲再生部１５で再生された楽音信号を受ける。採点用パラメータ抽出部２５は、入力された音声信号から歌唱者音程データと歌唱者音量データを抽出し、また、楽音信号からお手本ボーカル音程データ、お手本ボーカル音量データとを抽出する。そして、両音声の音程データと音量データを比較し、その一致度から歌唱者の得点を算出する。ＣＰＵ・１０は、採点用パラメータ抽出部２５により算出された得点を楽曲再生のタイミングと合わせて表示部１８に表示させる。
【００３４】
次に、楽曲の再生が終わり、最終の採点結果が表示部１８に表示されているとき、この採点結果をセンタ１１０へ送り、記録することを希望する場合は、入力部１７から採点データ送信の操作を行なう。ＣＰＵ・１０は、この操作を受け、センタ１１０の呼び出し信号を発信する。センタ１１０と回線が確立した後、ユーザ番号、楽曲番号と共に採点データを送信する。センタ１１０は、受信したユーザ番号が登録されていることを確認し、採点データおよび楽曲番号を内部の記憶装置に格納する。次いで、その楽曲について、現在の順位を求め、求めた順位を記憶装置に格納する。図５は上述したユーザデータの格納状態を示す図である。この格納された採点データや順位データは、定期的にまたはユーザが希望する時に、センタ１１０からユーザの携帯電話機へ送られ、携帯電話機の表示部１８で確認することができる。
【００３５】
このように、上述した携帯電話システムによれば、採点データを自己管理しなくても、いつでも、何処でも容易にセンタ１１０から受け取ることができる。これにより、いつでも何処に居ても上達の度合いをチェックすることができると共に、正当、公式な、かつ客観的な採点結果が得られるので、自らの客観的な実力を知ることができると共に、他人に自慢することもできる。
また、週間順位、月間順位に基づいてオフラインで認定書または景品を送付するようにすれば、一層楽しさば増し、やる気が増す。さらに、週間順位、月間順位または採点データの登録回数に基づいて楽曲データのダウンロードの価格を下げるようにしてもよい。
【００３６】
【発明の効果】
以上説明したように、本発明によれば、携帯電話機に歌唱力の採点機能を備え、通信ネットワークを介して採点結果を管理センタに送り管理できるようにしたので、いつでも客観的な歌唱力の採点結果を見ることができ、歌唱力の上達に役立つばかりでなくカラオケの楽しさを一層増すという効果が得られる。また、本発明によれば、管理センタから一定の期間毎に採点結果やグループ内での順位の情報を配信することができるので、努力目標を定めて練習に励む上で採点結果を有効に利用できるという効果が得られる。
【図面の簡単な説明】
【図１】  この発明の一実施形態の構成を示すブロック図である。
【図２】  図１における携帯電話機１の構成を示すブロック図である。
【図３】  図２における音声処理部１４および楽曲再生部１５の構成を示すブロック図である。
【図４】  図２における採点用パラメータ抽出部２５の構成を示すブロック図である。
【図５】  図１におけるセンタ１１０に格納する情報を説明する図である。
【符号の説明】
１  携帯電話機、１ａ，２７  アンテナ、１０  ＣＰＵ（中央処理装置）、１１ＲＡＭ、１２  ＲＯＭ、１３  通信部、１４  音声処理部、１５  楽曲再生部、１６  Ｉ／Ｆ（インタフェース）、１７  入力部、１８  表示部、１９  バイブレータ、２１  マイク、２２,２３  スピーカ、２４  バス、２５  採点用パラメータ抽出部、２６  ＦＭトランスミッタ、１００  携帯電話システム、１１０  センタ、１２０  通信ネットワーク。
【図１】
0003690224.tif 000002
【図２】
0003690224.tif 000003
【図３】
0003690224.tif 000004
【図４】
0003690224.tif 000005
【図５】
0003690224.tif 000006